(57)【要約】【課題】映像機器の構成が複雑化するのを抑制しながら、パレンタルレベル機能を使用する際のユーザの負担が大きくなるのを抑制することが可能な映像機器を提供する。【解決手段】この映像機器１００は、複数のユーザ（親、子供１および子供２）に対応するように割り当てられた複数の視聴開始ボタン１７ａ〜１７ｃを含むリモコン１０と、ユーザの年齢に応じて視聴制限を課すパレンタルレベルが予め記憶されているメモリ５３と、ユーザにより視聴開始ボタン１７ａ〜１７ｃが押下された際に、ユーザの年齢に対応するパレンタルレベルの映像および音声の視聴の開始を行う制御部５１を含む液晶テレビジョン５０とを備える。【選択図】図６
2011009817.tif 000002
【特許請求の範囲】
【請求項１】
複数のユーザに対応するように割り当てられた複数の個人識別ボタンを含むリモコンと、
ユーザの年齢に応じて視聴制限を課すパレンタルレベルが予め記憶されている記憶部と、
ユーザにより前記個人識別ボタンが押下された際に、ユーザの年齢に対応するパレンタルレベルの映像および音声の視聴の開始を行う制御部を含む映像機器本体部とを備える、映像機器。
【請求項２】
前記制御部は、ユーザにより前記個人識別ボタンが押下された際に、ユーザの年齢に対応するパレンタルレベルの映像および音声の視聴の開始および停止を行うように制御するように構成されており、
前記個人識別ボタンは、映像および音声の視聴を開始する第１個人識別ボタンと、映像および音声の視聴を停止する第２個人識別ボタンとを含む、請求項１に記載の映像機器。
【請求項３】
前記映像機器本体部には、時計部が設けられており、
前記制御部は、予め設定されたユーザの生年月日と、前記時計部により計測される現在の日付とに基づいて、前記個人識別ボタンを押下したユーザの年齢を判断して、ユーザの年齢に応じて視聴制限を課すパレンタルレベルを決定し、決定されたパレンタルレベルの映像および音声の視聴が開始されるように制御する、請求項１または２に記載の映像機器。
【請求項４】
前記制御部は、映像および音声の視聴開始時に、複数のユーザのうちの最も年齢の高いユーザに応じたパレンタルレベルに対応する前記個人識別ボタンが押下された際に、ユーザにパスワードの入力を要求するとともに、ユーザにより入力されたパスワードが所定のパスワードと一致する場合に、前記複数のユーザのうちの最も年齢の高いユーザに応じたパレンタルレベルの映像および音声の視聴が開始されるように制御する、請求項１〜３のいずれか１項に記載の映像機器。
【請求項５】
前記制御部は、映像および音声の視聴開始時に、複数のユーザのうちの最も年齢の高いユーザに応じたパレンタルレベルに対応する前記個人識別ボタンが押下された際に、ユーザにパスワードの入力を要求するとともに、所定のパスワードとは異なるパスワードが所定回数以上入力された場合に、前記複数のユーザのうちの最も年齢の低いユーザに応じたパレンタルレベルの映像および音声の視聴が開始されるように制御する、請求項１〜４のいずれか１項に記載の映像機器。
【請求項６】
前記制御部は、所定のパレンタルレベルの映像および音声の視聴中に、前記所定のパレンタルレベルとは異なるパレンタルレベルに対応する前記個人識別ボタンが押下された際に、現在視聴されている映像および音声のパレンタルレベルよりも視聴制限が厳しくなるパレンタルレベルが選択された場合に、前記所定のパレンタルレベルとは異なるパレンタルレベルの映像および音声の視聴が開始されるように制御する、請求項１〜５のいずれか１項に記載の映像機器。
【請求項７】
前記制御部は、所定のパレンタルレベルの映像および音声の視聴中に、前記所定のパレンタルレベルとは異なるパレンタルレベルに対応する前記個人識別ボタンが押下された際に、現在視聴されている映像および音声のパレンタルレベルよりも視聴制限が緩くなるパレンタルレベルが選択された場合に、ユーザにパスワードの入力を要求するとともに、ユーザにより入力されたパスワードが予め定められたパスワードと一致する場合に、前記所定のパレンタルレベルとは異なるパレンタルレベルの映像および音声の視聴が開始されるように制御する、請求項１〜６のいずれか１項に記載の映像機器。
【請求項８】
前記制御部は、所定のパレンタルレベルの映像および音声の視聴中に、前記所定のパレンタルレベルとは異なるパレンタルレベルに対応する前記個人識別ボタンが押下された際に、現在視聴されている映像および音声のパレンタルレベルよりも視聴制限が緩くなるパレンタルレベルが選択された場合に、ユーザにパスワードの入力を要求するとともに、予め定められたパスワードとは異なるパスワードが所定回数以上入力された場合に、前記所定のパレンタルレベルを変更せずに前記所定のパレンタルレベルの映像および音声の視聴が継続されるように制御する、請求項１〜７のいずれか１項に記載の映像機器。
【発明の詳細な説明】
【技術分野】
【０００１】
この発明は、映像機器に関し、特に、ユーザの年齢に応じて視聴制限を課すパレンタルレベル機能を有する映像機器に関する。
【背景技術】
【０００２】
従来、ユーザの年齢に応じて視聴制限を課すパレンタルレベル機能を有する映像機器が知られている（たとえば、特許文献１〜３参照）。
【０００３】
上記特許文献１には、ユーザの年齢に応じて視聴制限を課すパレンタルレベルを変更することが可能なボタンを含むリモコンと、リモコンからの信号を受信することが可能な受信部を含むＤＶＤプレーヤとを備えた動画再生装置（映像機器）が開示されている。この動画再生装置では、ユーザがＤＶＤを視聴する毎に、ユーザ自らがリモコンのパレンタルレベルを設定（変更）するボタンを操作し、リモコンから送信される信号がＤＶＤプレーヤの受信部により受信されることによって、パレンタルレベルが設定されるように構成されている。これにより、ユーザの年齢に応じたパレンタルレベルの映像および音声の視聴が行われるように構成されている。
【０００４】
また、上記特許文献２には、複数のユーザに対応して個々に設けられる複数の専用のリモコンと、ユーザによりリモコンが操作される際に、リモコンから送信される信号を受信することが可能なリモコン受信部を含むデジタルテレビジョン機器本体（映像機器本体部）とを備えたデジタルテレビジョン装置（映像機器）が開示されている。このデジタルテレビジョン装置では、デジタルテレビジョン機器本体の記憶部に予め複数のユーザに対応するパレンタルレベルなどの情報が記憶されている。そして、各ユーザが各自の専用のリモコンを操作すると、リモコンからデジタルテレビジョン機器本体のリモコン受信部に信号が送信される。そして、デジタルテレビジョンのリモコン受信部により受信された信号と、記憶部に記憶されているパレンタルレベルの情報とから、リモコンを操作しているユーザを判別する。そして、判別されたユーザに対応するパレンタルレベルの映像および音声の視聴が開始される。
【０００５】
また、上記特許文献３には、視聴制限を課すパレンタルレベルなどの情報が記憶された視聴ユーザ識別票と、視聴ユーザ識別票から送信される信号を受信可能な情報受信部を含むリモコンと、リモコンから送信される信号を受信可能な操作パネル部とを備えた受信装置（映像機器）が開示されている。この受信装置では、視聴ユーザ識別票を有したユーザがリモコンを把持した際に、視聴ユーザ識別票からリモコンに対してユーザのパレンタルレベルに関する情報が送信される。そして、ユーザによりリモコンが操作される際に、リモコンから操作パネル部にリモコンを把持しているユーザのパレンタルレベルに関する情報が送信される。これにより、操作パネル部では、リモコンを操作したユーザに対応するパレンタルレベルの映像および音声の視聴が開始される。
【先行技術文献】
【特許文献】
【０００６】
【特許文献１】特許第３９７８６０８号公報
【特許文献２】特開２００５−１１７１８５号公報
【特許文献３】特開２００８−１８２３４８号公報
【発明の概要】
【発明が解決しようとする課題】
【０００７】
しかしながら、上記特許文献１に記載の動画再生装置では、ユーザがＤＶＤを視聴する毎に、ユーザ自らがリモコンの設定（変更）ボタンを用いて視聴するユーザの年齢に応じたパレンタルレベルを設定（変更）する必要がある。このため、視聴毎にパレンタルレベルを設定しなければならないので、パレンタルレベル機能を使用する際のユーザの負担が大きくなるという問題点がある。
【０００８】
また、上記特許文献２に記載のデジタルテレビジョン装置では、各ユーザに対応するパレンタルレベルの映像および音声の視聴を行うために、各ユーザに対して専用のリモコンを用意しなければならない。このため、専用のリモコンがユーザの人数分だけ必要であるので、デジタルテレビジョン装置（映像機器）の構成が複雑化するという問題点がある。
【０００９】
また、上記特許文献３に記載の受信装置では、各ユーザに対応するパレンタルレベルの映像および音声の視聴を行うために、複数のユーザに対応する視聴ユーザ識別票が必要である。このため、受信装置（映像機器）の構成が複雑化するという問題点がある。
【００１０】
この発明は、上記のような課題を解決するためになされたものであり、この発明の１つの目的は、映像機器の構成が複雑化するのを抑制しながら、パレンタルレベル機能を使用する際のユーザの負担が大きくなるのを抑制することが可能な映像機器を提供することである。
【課題を解決するための手段および発明の効果】
【００１１】
この発明の一の局面による映像機器は、複数のユーザに対応するように割り当てられた複数の個人識別ボタンを含むリモコンと、ユーザの年齢に応じて視聴制限を課すパレンタルレベルが予め記憶されている記憶部と、ユーザにより個人識別ボタンが押下された際に、ユーザの年齢に対応するパレンタルレベルの映像および音声の視聴の開始を行う制御部を含む映像機器本体部とを備える。
【００１２】
この一の局面による映像機器では、上記のように、複数のユーザに対応するように割り当てられた複数の個人識別ボタンを含むリモコンを備えることによって、複数のユーザに対応する個人識別ボタンが１つのリモコンに設けられているので、たとえば、各ユーザに対応する個人識別ボタンが設けられたリモコンをユーザ毎に用意する必要がなくなる。これにより、映像機器の構成が複雑化するのを抑制することができる。また、ユーザの年齢に応じて視聴制限を課すパレンタルレベルが予め記憶されている記憶部を設けるとともに、制御部が、ユーザにより個人識別ボタンが押下された際に、ユーザの年齢に対応するパレンタルレベルの映像および音声の視聴の開始を行うことによって、ユーザ自らがユーザの年齢に応じたパレンタルレベルを選択する必要がないので、ユーザ自らがユーザが映像および音声の視聴を開始する毎に視聴するユーザの年齢に応じたパレンタルレベルを設定するのを回避することができる。その結果、パレンタルレベル機能を使用する際のユーザの負担が大きくなるのを抑制することができる。
【００１３】
上記一の局面による映像機器において、好ましくは、制御部は、ユーザにより個人識別ボタンが押下された際に、ユーザの年齢に対応するパレンタルレベルの映像および音声の視聴の開始および停止を行うように制御するように構成されており、個人識別ボタンは、映像および音声の視聴を開始する第１個人識別ボタンと、映像および音声の視聴を停止する第２個人識別ボタンとを含む。このように構成すれば、映像および音声の視聴を開始する第１個人識別ボタンを押下した際に、パレンタルレベルが設定（変更）されるだけではなく、たとえば、映像および音声の視聴を停止する第２個人識別ボタンを押下した際に、視聴を停止する直前に映像および音声の視聴をしていたユーザのパレンタルレベルに変更されるように制御される場合には、第２個人識別ボタンを押下することにより、パレンタルレベルの設定（変更）を行うことができる。これにより、パレンタルレベル機能を使用する際のユーザの負担が大きくなるのをより抑制することができる。
【００１４】
上記一の局面による映像機器において、好ましくは、映像機器本体部には、時計部が設けられており、制御部は、予め設定されたユーザの生年月日と、時計部により計測される現在の日付とに基づいて、個人識別ボタンを押下したユーザの年齢を判断して、ユーザの年齢に応じて視聴制限を課すパレンタルレベルを決定し、決定されたパレンタルレベルの映像および音声の視聴が開始されるように制御する。このように構成すれば、たとえば、ユーザの誕生日がきて年齢が上がる場合にも、ユーザの生年月日が予め設定されているので、制御部が現在のユーザの年齢を自動的に判断して、ユーザの年齢に応じたパレンタルレベルを決定することができる。これにより、ユーザの成長に合わせてパレンタルレベルが設定（変更）されるので、ユーザが成長する毎にユーザの年齢に対応するパレンタルレベルを設定する手間を省くことができる。
【００１５】
上記一の局面による映像機器において、好ましくは、制御部は、映像および音声の視聴開始時に、複数のユーザのうちの最も年齢の高いユーザに応じたパレンタルレベルに対応する個人識別ボタンが押下された際に、ユーザにパスワードの入力を要求するとともに、ユーザにより入力されたパスワードが所定のパスワードと一致する場合に、複数のユーザのうちの最も年齢の高いユーザに応じたパレンタルレベルの映像および音声の視聴が開始されるように制御する。このように構成すれば、パスワードの要求により、複数のユーザのうちの最も年齢の高いユーザ以外のユーザが、複数のユーザのうちの最も年齢の高いユーザになりすまして、所定のパレンタルレベルよりも視聴制限が緩いパレンタルレベルの映像および音声の視聴を行うのを防止することができる。
【００１６】
上記一の局面による映像機器において、好ましくは、制御部は、映像および音声の視聴開始時に、複数のユーザのうちの最も年齢の高いユーザに応じたパレンタルレベルに対応する個人識別ボタンが押下された際に、ユーザにパスワードの入力を要求するとともに、所定のパスワードとは異なるパスワードが所定回数以上入力された場合に、複数のユーザのうちの最も年齢の低いユーザに応じたパレンタルレベルの映像および音声の視聴が開始されるように制御する。このように構成すれば、パスワード不一致の場合に最も年齢の低いユーザに応じたパレンタルレベルになるように制御されるので、複数のユーザのうちの最も年齢の高いユーザ以外のユーザが、最も年齢の高いユーザになりすまして、最も年齢の高いユーザに対応するパレンタルレベルの映像および音声の視聴を行うのを防止することができる。また、パスワードの入力を所定回数以上とすることにより、パスワードの入力ミスがあった場合でも、直ちにパレンタルレベルが変更されるわけではなく、再度、パスワードの入力を行うことができる。
【００１７】
上記一の局面による映像機器において、好ましくは、制御部は、所定のパレンタルレベルの映像および音声の視聴中に、所定のパレンタルレベルとは異なるパレンタルレベルに対応する個人識別ボタンが押下された際に、現在視聴されている映像および音声のパレンタルレベルよりも視聴制限が厳しくなるパレンタルレベルが選択された場合に、所定のパレンタルレベルとは異なるパレンタルレベルの映像および音声の視聴が開始されるように制御する。このように構成すれば、所定のパレンタルレベルから視聴制限の厳しいパレンタルレベルに変更される場合には、パスワードの入力が不要であるので、ユーザの手間を省くことができる。これにより、パレンタルレベル機能を使用する際のユーザの負担が大きくなるのを抑制することができる。
【００１８】
上記一の局面による映像機器において、好ましくは、制御部は、所定のパレンタルレベルの映像および音声の視聴中に、所定のパレンタルレベルとは異なるパレンタルレベルに対応する個人識別ボタンが押下された際に、現在視聴されている映像および音声のパレンタルレベルよりも視聴制限が緩くなるパレンタルレベルが選択された場合に、ユーザにパスワードの入力を要求するとともに、ユーザにより入力されたパスワードが予め定められたパスワードと一致する場合に、所定のパレンタルレベルとは異なるパレンタルレベルの映像および音声の視聴が開始されるように制御する。このように構成すれば、パスワードの要求により、所定のパレンタルレベルに対応するユーザよりも視聴制限が厳しいパレンタルレベルに対応するユーザが、所定のパレンタルレベルに対応するユーザよりも視聴制限が緩いパレンタルレベルに対応するユーザになりすまして、所定のパレンタルレベルよりも視聴制限が緩いパレンタルレベルの映像および音声の視聴を行うのを防止することができる。
【００１９】
上記一の局面による映像機器において、好ましくは、制御部は、所定のパレンタルレベルの映像および音声の視聴中に、所定のパレンタルレベルとは異なるパレンタルレベルに対応する個人識別ボタンが押下された際に、現在視聴されている映像および音声のパレンタルレベルよりも視聴制限が緩くなるパレンタルレベルが選択された場合に、ユーザにパスワードの入力を要求するとともに、予め定められたパスワードとは異なるパスワードが所定回数以上入力された場合に、所定のパレンタルレベルを変更せずに所定のパレンタルレベルの映像および音声の視聴が継続されるように制御する。このように構成すれば、パスワード不一致の場合に所定のパレンタルレベルを変更せずに所定のパレンタルレベルの映像および音声の視聴が継続されるように制御されるので、所定のパレンタルレベルに対応するユーザよりも視聴制限が厳しいパレンタルレベルに対応するユーザが、所定のパレンタルレベルに対応するユーザよりも視聴制限が緩いパレンタルレベルに対応するユーザになりすまして、所定のパレンタルレベルよりも視聴制限が緩いパレンタルレベルの映像および音声の視聴を行うのを防止することができる。また、パスワードの入力を所定回数以上とすることにより、パスワードの入力ミスがあった場合でも、直ちにパレンタルレベルが変更されるわけではなく、再度、パスワードの入力を行うことができる。
【図面の簡単な説明】
【００２０】
【図１】本発明の第１実施形態によるリモコンおよび液晶テレビジョンを備える映像機器の全体構成図である。
【図２】本発明の第１実施形態によるリモコンの概略図である。
【図３】本発明の第１実施形態によるリモコンに設けられた視聴開始ボタンおよび視聴停止ボタンの拡大図である。
【図４】本発明の第１実施形態によるリモコンの構成を説明するためのブロック図である。
【図５】本発明の第１実施形態による液晶テレビジョンの構成を説明するためのブロック図である。
【図６】本発明の第１実施形態による制御部の制御動作を説明するためのフローチャートである。
【図７】本発明の第１実施形態による初期設定を行う際の制御部の制御動作を説明するためのフローチャートである。
【図８】本発明の第１実施形態による家族の人数の入力を受け付けるための初期設定画面を示した図である。
【図９】本発明の第１実施形態による家族の生年月日の入力を受け付けるための初期設定画面を示した図である。
【図１０】本発明の第１実施形態によるパスワードの入力を受け付けるための初期設定画面を示した図である。
【図１１】本発明の第１実施形態によるＴＶ番組の視聴開始時における制御部の制御動作を説明するためのフローチャートである。
【図１２】本発明の第１実施形態によるパスワードの入力を受け付けるためのパスワード受付画面を示した図である。
【図１３】本発明の第１実施形態によるパレンタルレベルが無制限に設定された旨の通知画面を示した図である。
【図１４】本発明の第１実施形態による入力回数が所定回数以上になった旨の通知画面を示した図である。
【図１５】本発明の第１実施形態による子供２に合わせたパレンタルレベルに設定された旨の通知画面を示した図である。
【図１６】本発明の第１実施形態によるＴＶ番組視聴中に他のユーザに対応する視聴開始ボタンが押下された際の制御部の制御動作を説明するためのフローチャートである。
【図１７】本発明の第１実施形態によるパスワードの入力を受け付けるためのパスワード受付画面を示した図である。
【図１８】本発明の第１実施形態によるパレンタルレベルが変更された旨の通知画面を示した図である。
【図１９】本発明の第１実施形態によるＴＶ番組の視聴中に視聴停止ボタンが押下された際の制御部の制御動作を説明するためのフローチャートを示した図である。
【図２０】本発明の第２実施形態によるリモコンおよびＤＶＤレコーダを備える映像機器の全体構成図である。
【図２１】本発明の第２実施形態によるＤＶＤレコーダのブロック図である。
【図２２】本発明の第３実施形態によるＤＶＤプレーヤの構成図である。
【発明を実施するための形態】
【００２１】
以下、本発明の実施形態を図面に基づいて説明する。
【００２２】
（第１実施形態）
まず、図１〜図５を参照して、本発明の第１実施形態による映像機器１００の構成について説明する。
【００２３】
本発明の第１実施形態による映像機器１００は、図１に示すように、リモコン１０と、液晶テレビジョン５０とを備えている。なお、液晶テレビジョン５０は、本発明の「映像機器本体部」の一例である。リモコン１０は、図２に示すように、リモコン操作時の信号を液晶テレビジョン５０に送信する赤外線発光部１１と、液晶テレビジョン５０の電源をオン／オフするための電源ボタン１２と、複数のチャンネル選択用ボタン１３と、各種設定を行うための操作ボタン１４と、音量調節用ボタン１５と、チャンネルアップ／ダウンボタン１６と、ＴＶ番組（映像および音声）の視聴を開始するための視聴開始ボタン１７と、ＴＶ番組（映像および音声）の視聴を停止するための視聴停止ボタン１８とを備えている。なお、視聴開始ボタン１７は、本発明の「第１個人識別ボタン」および「個人識別ボタン」の一例であり、視聴停止ボタン１８は、本発明の「第２個人識別ボタン」および「個人識別ボタン」の一例である。
【００２４】
ここで、第１実施形態では、図３に示すように、視聴開始ボタン１７は、複数のユーザに対応するように割り当てられている。具体的には、親（父親および母親）と、子供１と、子供２との４人家族のユーザにより、リモコン１０を使用する場合には、視聴開始ボタン１７ａは、親に対応している。同様に、視聴開始ボタン１７ｂは、子供１に対応している。また、視聴開始ボタン１７ｃは、子供２に対応している。なお、第１実施形態では、「父親」と「母親」とを１つにまとめて「親」として説明する。
【００２５】
また、第１実施形態では、視聴停止ボタン１８は、複数のユーザに対応するように割り当てられている。具体的には、視聴停止ボタン１８ａは、親に対応している。また、視聴停止ボタン１８ｂは、子供１に対応している。また、視聴停止ボタン１８ｃは、子供２に対応している。
【００２６】
また、リモコン１０の詳細な内部構成としては、図４に示すように、リモコン１０は、リモコン１０全体の制御を行う制御部１９を備えている。制御部１９は、ユーザにより視聴開始ボタン１７または視聴停止ボタン１８が押下された際の信号を受信可能に構成されている。また、制御部１９は、ユーザにより視聴開始ボタン１７および視聴停止ボタン１８が押下された際の信号を赤外線駆動部２０に送信可能に制御するように構成されている。また、赤外線駆動部２０は、赤外線を発生させる信号を赤外線発光部１１に送信するように構成されている。また、赤外線発光部１１により発光された赤外線は、液晶テレビジョン５０に送信されるように構成されている。このようにして、ユーザにより視聴開始ボタン１７および視聴停止ボタン１８が押下された際の信号が、液晶テレビジョン５０に送信される。
【００２７】
また、図５に示すように、液晶テレビジョン５０は、液晶テレビジョン５０全体の制御を行うための制御部５１と、リモコン１０から送信された信号を受信するための赤外線受光部５２と、ユーザの年齢に応じて視聴制限を課すパレンタルレベルが予め記憶されているメモリ５３と、時計部５４と、アンテナ５５と、ユーザの選択したＴＶ番組をアンテナ５５を介して受信するためのチューナ５６と、選択されたＴＶ番組の電波をテレビジョン信号に復調する復調部５７と、復調されたテレビジョン信号を映像および音声に変換する映像・音声デコード部５８と、映像を表示する表示画面部５９と、音声を出力するスピーカ６０とを備えている。なお、メモリ５３は、本発明の「記憶部」の一例である。また、パレンタルレベルに関する情報は、液晶テレビジョン５０のチューナ５６によって受信される映像・音声データおよび放送波に含まれている。
【００２８】
また、第１実施形態では、メモリ５３には、リモコン１０を使用するユーザ（親、子供１および子供２）の生年月日が予めユーザにより設定されることにより記憶されている。また、メモリ５３には、ユーザの年齢に応じてＴＶ番組の視聴制限を課すパレンタルレベルが予め記憶されている。たとえば、ユーザの年齢が１８歳以上の場合は、パレンタルレベルが最も緩く設定されている（無制限）。次に、ユーザの年齢が１５歳以上１８歳未満の場合には、２番目にパレンタルレベルが緩く設定されている。また、ユーザの年齢が１２歳以上１５歳未満の場合には、３番目にパレンタルレベルが緩く設定されている。そして、ユーザの年齢が１２歳未満の場合には、パレンタルレベルが最も厳しく設定されている。
【００２９】
また、第１実施形態では、制御部５１は、リモコン１０の視聴開始ボタン１７または視聴停止ボタン１８が押下された際に、リモコン１０から送信される信号に基づいて、どのユーザに割り当てられた視聴開始ボタン１７または視聴停止ボタン１８が押下されたかを判断するように構成されている。また、制御部５１は、メモリ５３に予め記憶されたユーザの生年月日と、時計部５４により計測される現在の日付とに基づいて、視聴開始ボタン１７または視聴停止ボタン１８を押下したユーザの年齢を判断するように構成されている。そして、ユーザの年齢に応じて視聴制限を課すパレンタルレベルを決定し、決定されたパレンタルレベルの映像および音声の視聴が開始される。
【００３０】
次に、図６を参照して、液晶テレビジョン５０の制御部５１がユーザの年齢に対応するパレンタルレベルの映像および音声の視聴を制御する全体の制御動作を説明する。なお、全体の制御動作の説明を行った後に、個々の制御動作について詳細に説明する。
【００３１】
まず、液晶テレビジョン５０の購入直後においては、ユーザによりリモコン１０の電源ボタン１２が押下された後に、ステップＳ１０において、初期設定処理が行われ、ステップＳ２０に進む。次に、ステップＳ２０において、ユーザによりＴＶ番組の視聴開始ボタン１７が押下された際の制御動作が行われ、ステップＳ３０に進む。次に、ステップＳ３０において、他のユーザに対応する視聴開始ボタン１７が押下されたか否かが判断される。そして、ステップＳ３０において、他のユーザに対応する視聴開始ボタン１７が押下されたと判断された場合には、ステップＳ４０に進む。なお、初期設定の処理は、液晶テレビジョン５０の購入直後、または、ユーザからの初期設定の変更を受け付けた場合に行われる。
【００３２】
次に、ステップＳ４０において、ユーザによりＴＶ番組を視聴中に、他のユーザに対応する視聴開始ボタン１７が押下された際の制御処理が行われ、ステップＳ５０に進む。また、ステップＳ３０において、他のユーザに対応する視聴開始ボタン１７が押下されていないと判断された場合には、ステップＳ５０に進む。
【００３３】
次に、ステップＳ５０において、ユーザによりＴＶ番組の視聴中に視聴停止ボタン１８が押下されたか否かが判断される。そして、ユーザによりＴＶ番組の視聴中に視聴停止ボタン１８が押下されたと判断された場合には、ステップＳ６０に進む。次に、ステップＳ６０において、ユーザによりＴＶ番組の視聴中に視聴停止ボタン１８が押下された際の制御処理が行われ、ステップＳ７０に進む。また、ステップＳ５０において、ユーザによりＴＶ番組の視聴中に視聴停止ボタンが押下されていないと判断された場合には、ステップＳ７０に進む。
【００３４】
次に、ステップＳ７０において、ユーザによりリモコン１０の電源ボタン１２がオフにされたか否かが判断される。また、ステップＳ７０において、電源ボタン１２がオフにされていないと判断された場合には、ステップＳ３０に戻る。また、ステップＳ７０において、電源ボタン１２がオフにされたと判断された場合には、制御動作を終了する。
【００３５】
次に、図６〜図１０を参照して、図６に示したステップＳ１０における初期設定を行う際の液晶テレビジョン５０の制御部５１の制御動作について詳細に説明する。
【００３６】
まず、図７に示すように、ステップＳ１０１において、図８に示す家族の人数の入力を受け付けるための初期設定画面５９ａを表示し、ステップＳ１０２に進む。次に、ステップＳ１０２において、ユーザにより家族の人数（４人）が入力されるまでこの判断が繰り返され、ユーザにより家族の人数（４人）が入力された場合に、ステップＳ１０３に進む。ステップＳ１０３において、図９に示す家族の生年月日の入力を受け付けるための初期設定画面５９ｂを表示し、ステップＳ１０４に進む。次に、ステップＳ１０４において、ユーザにより、親（最も年齢が高いユーザ）の生年月日、子供１の生年月日および子供２（最も年齢が低いユーザ）の生年月日が入力されるまでこの判断が繰り返され、ユーザにより生年月日が入力された場合に、ステップＳ１０５に進む。
【００３７】
次に、ステップＳ１０５において、図１０に示すパスワードの入力を受け付けるための初期設定画面５９ｃを表示し、ステップＳ１０６に進む。次に、ステップＳ１０６において、ユーザ（親）により、たとえば、パスワード「１２３４」が入力されるまでこの判断が繰り返され、ユーザ（親）によりパスワードが入力された場合に、ステップＳ１０７に進む。次に、ステップＳ１０７において、初期設定（家族の人数、家族の生年月日およびパスワードの設定）がメモリ５３に記憶される。このパスワードの設定を行うことによって、子供１が親に対応する視聴開始ボタン１７ａを押下した場合にも、無断でパレンタルレベルを緩くできないようにすることが可能である。なお、子供１にもパスワードを設定することによって、子供２が子供１に対応する視聴開始ボタン１７ｂを押下した場合にも、無断でパレンタルレベルを緩くできないようにすることが可能である。
【００３８】
次に、図６および図９〜図１５を参照して、図６に示したステップＳ２０におけるＴＶ番組の視聴開始時における液晶テレビジョン５０の制御部５１の制御動作について詳細に説明する。
【００３９】
まず、ステップＳ２０１において、ユーザにより視聴開始ボタン１７が押下されるまでこの判断が繰り返され、ユーザにより視聴開始ボタン１７が押下された場合に、ステップＳ２０２に進む。次に、第１実施形態では、ステップＳ２０２において、ユーザによりユーザ（親）に対応する視聴開始ボタン１７ａが押下された否かが判断される。そして、ステップＳ２０２において、ユーザ（親）に対応する視聴開始ボタン１７ａが押下されたと判断された場合には、ステップＳ２０３に進む。次に、第１実施形態では、ステップＳ２０３において、図１２に示すパスワードの入力を受け付けるためのパスワード受付画面５９ｄを表示し、ステップＳ２０４に進む。次に、ステップＳ２０４において、ユーザ（親）によりパスワード「１２３４」が入力されるまでこの判断が繰り返され、ユーザ（親）によりパスワードが入力された場合に、ステップＳ２０５に進む。
【００４０】
次に、ステップＳ２０５において、ユーザ（親）により入力されたパスワード「１２３４」と、予めメモリ５３に設定されているパスワード「１２３４」（図１０参照）とが一致しているか否かが判断される。そして、第１実施形態では、ステップＳ２０５において、パスワードが一致していると判断された場合には、ステップＳ２０６に進む。次に、第１実施形態では、ステップＳ２０６において、ユーザ（親）に対応するパレンタルレベル（視聴制限が最も緩いパレンタルレベル：無制限）に設定される。そして、図１３に示すパレンタルレベルが無制限に設定された旨の通知画面５９ｅが表示され、ステップＳ２０７に進む。次に、ステップＳ２０７において、視聴制限が最も緩いパレンタルレベルの映像および音声の視聴が開始される。
【００４１】
また、ステップＳ２０２において、ユーザによりユーザ（親）に対応する視聴開始ボタン１７ａが押下されていないと判断された場合（たとえば、子供１に対応する視聴開始ボタン１７ｂが押下された場合）には、ステップＳ２０８に進む。次に、ステップＳ２０８において、押下された視聴開始ボタン１７ｂに対応するユーザ（子供１）の生年月日と、時計部５４により計測された現在の日付とを比較してパレンタルレベルを決定する。たとえば、押下された視聴開始ボタン１７ｂに対応するユーザが子供１の場合には、生年月日が１９＊＊年２月１日（図９参照）なので、生年月日と現在の日付とを比較して現在１７歳と判断される。この場合は、２番目にパレンタルレベルが緩く設定された１５歳以上１８歳未満のパレンタルレベルに設定される。なお、子供１に対応するパスワードが設定されている場合には、パスワード受付画面を表示し、パスワードを受け付けるように構成してもよい。そして、ステップＳ２０７に進む。
【００４２】
また、第１実施形態では、ステップＳ２０５において、ユーザ（親）により入力されたパスワード「＊＊＊＊」と、予めメモリ５３に設定されているパスワード「１２３４」とが一致していないと判断された場合には、ステップＳ２０９に進む。パスワードが一致しない場合とは、たとえば、子供２が親になりすまして親に割り当てられた視聴開始ボタン１７ａを押下した場合などである。この場合、子供２が親に割り当てられた視聴開始ボタン１７ａを押下したが、予め設定されたパスワードを知らないので、間違ったパスワードを入力してしまうと考えられる。
【００４３】
次に、第１実施形態では、ステップＳ２０９において、パスワードの入力回数が所定回数以上になったか否かが判断される。なお、パスワードの入力の所定回数は、ユーザ（親）によって設定することが可能である（たとえば、所定回数を５回程度に設定するとよい）。そして、ステップＳ２０９において、パスワードの入力回数が所定回数以上になっていないと判断された場合には、ステップＳ２０４に戻る。
【００４４】
また、第１実施形態では、ステップＳ２０９において、パスワードの入力回数が所定回数以上になったと判断された場合には、図１４に示す入力回数が所定回数以上になった旨の通知画面５９ｆを表示し、最年少の家族に合わせたパレンタルレベルに設定される。この場合、子供２が家族の最年少（１４歳）（図９参照）なので、３番目にパレンタルレベルが緩く（最も厳しく）設定された１２歳以上１５歳未満のパレンタルレベルに設定されとともに、図１５に示す子供２に対応するパレンタルレベルに設定された旨の通知画面５９ｇが表示される。そして、ステップＳ２０７に進む。
【００４５】
次に、図６、図１４および図１６〜図１８を参照して、図６に示したステップＳ４０におけるＴＶ番組視聴中に他のユーザに対応する視聴開始ボタンが押下された際の液晶テレビジョン５０の制御部５１の制御動作について詳細に説明する。
【００４６】
まず、図１６に示すように、ステップＳ３０１において、たとえば、子供１がＴＶ番組を視聴中に他のユーザ（親）に対応する視聴開始ボタン１７ａが押下されるまでこの判断が繰り返され、他のユーザ（親）に対応する視聴開始ボタン１７ａが押下された場合に、ステップＳ３０２に進む。次に、ステップＳ３０２において、他のユーザ（親）に対応する視聴開始ボタン１７ａが押下されることにより、現在のパレンタルレベルが緩くなるか否かが判断される。
【００４７】
そして、第１実施形態では、ステップＳ３０２において、他のユーザ（親）に対応する視聴開始ボタン１７ａが押下されることにより、現在のパレンタルレベルよりも緩くなると判断された場合には、ステップＳ３０３において、図１７に示すパスワードの入力を受け付けるためのパスワード受付画面５９ｈを表示し、ステップＳ３０４に進む。現在のパレンタルレベルが緩くなる場合とは、たとえば、子供１がＴＶ番組の視聴をやめたので、親自身が親に割り当てられた視聴開始ボタン１７ａを押下した場合などである。次に、ステップＳ３０４において、ユーザ（親）によりパスワード「１２３４」が入力されるまでこの判断が繰り返され、ユーザ（親）によりパスワードが入力された場合に、ステップＳ３０５に進む。
【００４８】
次に、ステップＳ３０５において、ユーザ（親）により入力されたパスワード「１２３４」と、予めメモリ５３に設定されているパスワード「１２３４」とが一致しているか否かが判断される。そして、ステップＳ３０５において、パスワードが一致していると判断された場合には、ステップＳ３０６に進む。
【００４９】
次に、ステップＳ３０６において、ユーザ（親）に対応するパレンタルレベル（視聴制限が最も緩いパレンタルレベル：無制限）に変更され、ステップＳ３０７に進む。次に、ステップＳ３０７において、図１８に示すパレンタルレベルが変更された旨の通知画面５９ｉが表示され、変更されたパレンタルレベルの映像および音声の視聴が開始される。
【００５０】
また、ステップＳ３０２において、たとえば、子供１がＴＶ番組視聴中に他のユーザ（子供２）に対応する視聴開始ボタン１７ｃが押下されることにより、現在のパレンタルレベルが緩くなるか否かが判断される。そして、ステップＳ３０２において、ユーザにより他のユーザ（子供２）に対応する視聴開始ボタン１７ｃが押下されることにより、現在のパレンタルレベルが緩くならない（パレンタルレベルが厳しくなる）と判断された場合には、ステップＳ３０６に進み、パレンタルレベルが変更される。現在のパレンタルレベルが緩くならない場合とは、たとえば、子供１がＴＶ番組視聴中に、子供２がＴＶ番組の視聴にきたので子供２に割り当てられた視聴開始ボタン１７ｃを押下した場合などである。
【００５１】
また、第１実施形態では、ステップＳ３０５において、ユーザにより入力されたパスワード「＊＊＊＊」と、予めメモリ５３に設定されているパスワード「１２３４」とが一致していないと判断された場合には、ステップＳ３０８に進む。パスワードが一致しない場合とは、たとえば、子供１が親になりすまして親に対応する視聴開始ボタン１７ａを押下した場合などである。この場合、子供１が親に対応する視聴開始ボタン１７ａを押下したが、設定されたパスワードを知らないので、間違ったパスワードを入力してしまうと考えられる。
【００５２】
次に、第１実施形態では、ステップＳ３０８において、パスワードの入力回数が所定回数以上になったか否かが判断される。なお、パスワードの入力の所定回数は、ユーザ（親）によって設定することが可能である。そして、ステップＳ３０３において、パスワードの入力回数が所定回数以上になっていないと判断された場合には、ステップＳ３０４に戻る。
【００５３】
また、ステップＳ３０８において、パスワードの入力回数が所定回数以上になったと判断された場合には、図１４に示す入力回数が所定回数以上になった旨の通知画面５９ｆを表示し、パレンタルレベルを変更せずに、現在のパレンタルレベルの映像および音声の視聴が継続される。
【００５４】
次に、図６、図１４および図１７〜図１９を参照して、図６に示したステップＳ６０におけるＴＶ番組視聴中に視聴停止ボタン１８が押下された際の液晶テレビジョン５０の制御部５１の制御動作について詳細に説明する。
【００５５】
図１９に示すように、ステップＳ４０１において、ＴＶ番組の視聴をやめたユーザ（子供１）に対応する視聴停止ボタン１８ｂが押下されるまでこの判断が繰り返され、ＴＶ番組の視聴をやめたユーザ（子供１）に対応する視聴停止ボタン１８ｂが押下された場合に、ステップＳ４０２に進む。
【００５６】
次に、ステップＳ４０２において、現在のパレンタルレベル（子供１に対応するパレンタルレベル）が、子供１がＴＶ番組の視聴をやめる直前にＴＶ番組を視聴していたユーザ（親）のパレンタルレベルと比べて緩くなるか否かが判断される。なお、直前に視聴しているユーザが存在しない場合には、ＴＶ番組の視聴を停止（表示をオフ）させてもよい。
【００５７】
そして、ステップＳ４０２において、現在のパレンタルレベルが、ＴＶ番組の視聴をやめる直前にＴＶ番組を視聴していたユーザのパレンタルレベルと比べて緩くなると判断された場合には、ステップＳ４０３において、図１７に示すパスワードの入力を受け付けるためのパスワード受付画面５９ｈを表示し、ステップＳ４０４に進む。このパレンタルレベルが緩くなる場合とは、たとえば、親が親に対応するパレンタルレベルのＴＶ番組を視聴していた際に、子供１がＴＶ番組の視聴に来たので、親に対応するパレンタルレベルから子供１に対応するパレンタルレベルに変更して、親と子供１とでＴＶ番組を視聴していた。そして、子供１がＴＶ番組の視聴をやめて、移動してしまった場合などである。
【００５８】
次に、ステップＳ４０４において、ユーザ（親）によりパスワードが入力されるまでこの判断が繰り返され、ユーザ（親）によりパスワードが入力された場合に、ステップＳ４０５に進む。次に、ステップＳ４０５において、ユーザ（親）により入力されたパスワード「１２３４」と、予め定められたメモリ５３に設定されているパスワード「１２３４」とが一致しているか否かが判断される。そして、ステップＳ４０５において、パスワードが一致していると判断された場合には、ステップＳ４０６に進む。
【００５９】
次に、ステップＳ４０６において、ユーザ（親）に対応するパレンタルレベル（視聴制限が最も緩いパレンタルレベル：無制限）に変更され、ステップＳ４０７に進む。次に、ステップＳ４０７において、図１８に示すパレンタルレベルが変更された旨の通知画面５９ｉが表示され、変更されたパレンタルレベルの映像および音声の視聴が開始される。
【００６０】
また、ステップＳ４０５において、ユーザにより入力されたパスワード「＊＊＊＊」と、予めメモリ５３に設定されているパスワード「１２３４」とが一致していないと判断された場合には、ステップＳ４０８に進む。
【００６１】
次に、ステップＳ４０８において、パスワードの入力回数が所定回数以上になったか否かが判断される。なお、パスワードの入力の所定回数は、ユーザ（親）によって設定することが可能である。そして、ステップＳ４０８において、パスワードの入力回数が所定回数以上になっていないと判断された場合には、ステップＳ４０４に戻る。
【００６２】
また、ステップＳ４０８において、パスワードの入力回数が所定回数以上になったと判断された場合には、図１４に示す入力回数が所定回数以上になった旨の通知画面５９ｆを表示し、パレンタルレベルを変更せずに、現在のパレンタルレベルの映像および音声の視聴が継続される。
【００６３】
また、ステップＳ４０２において、たとえば、子供１がＴＶ番組の視聴をやめる際に、子供１に対応する視聴停止ボタン１８ｂが押下されることにより、現在のパレンタルレベルが緩くならないと判断された場合には、現在のパレンタルレベルを変更せずにＴＶ番組の視聴が継続される。このパレンタルレベルが緩くならない場合とは、たとえば、子供１が子供１に対応するパレンタルレベルのＴＶ番組を視聴していた際に、子供２がＴＶ番組の視聴に来たので、子供１に対応するパレンタルレベルから子供２に対応するパレンタルレベルに変更して、子供１と子供２とでＴＶ番組を視聴していた。そして、子供１がＴＶ番組の視聴をやめる際に、子供１に対応する視聴停止ボタン１８ｂを押下した場合などである。そして、制御動作を終了する。
【００６４】
第１実施形態では、上記のように、複数のユーザ（親、子供１および子供２）に対応するように割り当てられた視聴開始ボタン１７ａ〜１７ｃおよび視聴停止ボタン１８ａ〜１８ｃを含むリモコン１０を備えることによって、複数のユーザ（親、子供１および子供２）に対応する視聴開始ボタン１７ａ〜１７ｃおよび視聴停止ボタン１８ａ〜１８ｃが１つのリモコン１０に設けられているので、たとえば、各ユーザに対応する視聴開始ボタン１７ａ〜１７ｃおよび視聴停止ボタン１８ａ〜１８ｃが設けられたリモコンをユーザ毎に用意する必要がなくなる。これにより、映像機器１００の構成が複雑化するのを抑制することができる。また、ユーザの年齢に応じて視聴制限を課すパレンタルレベルが予め記憶されているメモリ５３を設けるとともに、制御部５１が、ユーザにより視聴開始ボタン１７および視聴停止ボタン１８が押下された際に、ユーザの年齢に対応するパレンタルレベルの映像および音声の視聴の開始を行うことによって、ユーザ自らがユーザの年齢に応じたパレンタルレベルを選択する必要がないので、ユーザ自らがユーザが映像および音声の視聴を開始する毎に視聴するユーザの年齢に応じたパレンタルレベルを設定するのを回避することができる。その結果、パレンタルレベル機能を使用する際のユーザの負担が大きくなるのを抑制することができる。
【００６５】
また、第１実施形態では、上記のように、視聴開始ボタン１７および視聴停止ボタン１８は、映像および音声の視聴を開始する第１個人識別ボタンと、映像および音声の視聴を停止する第２個人識別ボタンとを含むことによって、映像および音声の視聴を開始する視聴開始ボタン１７を押下した際に、パレンタルレベルが設定（変更）されるだけではなく、映像および音声の視聴を停止する視聴停止ボタン１８を押下した際にも、パレンタルレベルの設定（変更）を行うことができる。これにより、パレンタルレベル機能を使用する際のユーザの負担が大きくなるのをより抑制することができる。
【００６６】
また、第１実施形態では、上記のように、制御部５１が、予め設定されたユーザの生年月日と、時計部５４により計測される現在の日付とに基づいて、視聴開始ボタン１７および視聴停止ボタン１８を押下したユーザの年齢を判断して、ユーザの年齢に応じて視聴制限を課すパレンタルレベルを決定し、決定されたパレンタルレベルの映像および音声の視聴が開始されるように制御する。これにより、たとえば、ユーザの誕生日がきて年齢が上がる場合にも、ユーザの生年月日が予め設定されているので、制御部５１が現在のユーザの年齢を自動的に判断して、ユーザの年齢に応じたパレンタルレベルを決定することができる。その結果、ユーザの成長に合わせてパレンタルレベルが設定（変更）されるので、ユーザが成長する毎にユーザの年齢に対応するパレンタルレベルを設定する手間を省くことができる。
【００６７】
また、第１実施形態では、上記のように、制御部５１が、映像および音声の視聴開始時に、親に応じたパレンタルレベルに対応する視聴開始ボタン１７が押下された際に、ユーザにパスワードの入力を要求するとともに、ユーザにより入力されたパスワードが所定のパスワードと一致する場合に、親に応じたパレンタルレベルの映像および音声の視聴が開始されるように制御する。これにより、パスワードの要求により、親以外のユーザ（子供１および子供２）が、親になりすまして、所定のパレンタルレベルよりも視聴制限が緩いパレンタルレベルの映像および音声の視聴を行うのを防止することができる。
【００６８】
また、第１実施形態では、上記のように、制御部５１が、映像および音声の視聴開始時に、親に応じたパレンタルレベルに対応する視聴開始ボタン１７ａが押下された際に、ユーザにパスワードの入力を要求するとともに、所定のパスワードとは異なるパスワードが所定回数以上入力された場合に、子供２に応じたパレンタルレベルの映像および音声の視聴が開始されるように制御する。これにより、パスワード不一致の場合に最も年齢の低いユーザに応じたパレンタルレベルになるように制御されるので、子供１および子供２が、親になりすまして、親に対応するパレンタルレベルの映像および音声の視聴を行うのを防止することができる。また、パスワードの入力を所定回数（５回）以上とすることにより、パスワードの入力ミスがあった場合でも、直ちにパレンタルレベルが変更されるわけではなく、再度、パスワードの入力を行うことができる。
【００６９】
また、第１実施形態では、上記のように、制御部５１が、所定のパレンタルレベルの映像および音声の視聴中に、所定のパレンタルレベルとは異なるパレンタルレベルに対応する視聴開始ボタン１７が押下された際に、現在視聴されている映像および音声のパレンタルレベルよりも視聴制限が厳しくなるパレンタルレベルが選択された場合に、所定のパレンタルレベルとは異なるパレンタルレベルの映像および音声の視聴が開始されるように制御する。これにより、所定のパレンタルレベルから視聴制限の厳しいパレンタルレベルに変更される場合には、パスワードの入力が不要であるので、ユーザの手間を省くことができる。これにより、パレンタルレベル機能を使用する際のユーザの負担が大きくなるのを抑制することができる。
【００７０】
また、第１実施形態では、上記のように、制御部５１が、所定のパレンタルレベルの映像および音声の視聴中に、所定のパレンタルレベルとは異なるパレンタルレベルに対応する視聴開始ボタン１７および視聴停止ボタン１８が押下された際に、現在視聴されている映像および音声のパレンタルレベルよりも視聴制限が緩くなるパレンタルレベルが選択された場合に、ユーザにパスワードの入力を要求するとともに、ユーザにより入力されたパスワードが予め定められたパスワードと一致する場合に、所定のパレンタルレベルとは異なるパレンタルレベルの映像および音声の視聴が開始されるように制御する。これにより、パスワードの要求により、所定のパレンタルレベルに対応するユーザよりも視聴制限が厳しいパレンタルレベルに対応するユーザが、所定のパレンタルレベルに対応するユーザよりも視聴制限が緩いパレンタルレベルに対応するユーザになりすまして、所定のパレンタルレベルよりも視聴制限が緩いパレンタルレベルの映像および音声の視聴を行うのを防止することができる。
【００７１】
また、第１実施形態では、上記のように、制御部５１が、所定のパレンタルレベルの映像および音声の視聴中に、所定のパレンタルレベルとは異なるパレンタルレベルに対応する視聴開始ボタン１７が押下された際に、現在視聴されている映像および音声のパレンタルレベルよりも視聴制限が緩くなるパレンタルレベルが選択された場合に、ユーザにパスワードの入力を要求するとともに、予め定められたパスワードとは異なるパスワードが所定回数以上入力された場合に、所定のパレンタルレベルを変更せずに所定のパレンタルレベルの映像および音声の視聴が継続されるように制御する。これにより、パスワード不一致の場合に所定のパレンタルレベルを変更せずに所定のパレンタルレベルの映像および音声の視聴が継続されるように制御されるので、所定のパレンタルレベルに対応するユーザよりも視聴制限が厳しいパレンタルレベルに対応するユーザが、所定のパレンタルレベルに対応するユーザよりも視聴制限が緩いパレンタルレベルに対応するユーザになりすまして、所定のパレンタルレベルよりも視聴制限が緩いパレンタルレベルの映像および音声の視聴を行うのを防止することができる。また、パスワードの入力を所定回数（５回）以上とすることにより、パスワードの入力ミスがあった場合でも、直ちにパレンタルレベルが変更されるわけではなく、再度、パスワードの入力を行うことができる。
【００７２】
（第２実施形態）
図２０および図２１を参照して、本発明の第２実施形態では、リモコン１０と液晶テレビジョン５０とに本発明を適用した第１実施形態とは異なり、リモコン１０とＤＶＤレコーダ７０とを含む映像機器２００に本発明を適用した例について説明する。なお、ＤＶＤレコーダ７０は、本発明の「映像機器本体部」の一例である。
【００７３】
本発明の第２実施形態によるＤＶＤレコーダ７０では、上記した第１実施形態とは異なり、図２１に示すように、復調部５７と、メモリ５３との間に映像・音声エンコード部７１が設けられている。映像・音声エンコード部７１は、復調部５７により復調された信号を符号化し、メモリ５３に記憶させることが可能に構成されている。
【００７４】
また、第２実施形態では、ＤＶＤレコーダ７０により記憶された映像および音声の視聴に関しても、上記した第１実施形態と同様に、ユーザの年齢に対応するパレンタルレベルの映像および音声の視聴の開始、および、映像および音声の視聴の停止が可能に構成されている。
【００７５】
なお、第２実施形態のその他の構成および制御動作は、上記した第１実施形態と同様である。
【００７６】
また、第２実施形態の効果は、上記した第１実施形態と同様である。
【００７７】
（第３実施形態）
図２２を参照して、本発明の第３実施形態では、リモコン１０とＤＶＤレコーダ７０とに本発明を適用した第２実施形態とは異なり、リモコン１０とＤＶＤプレーヤ８０とを含む映像機器３００に本発明を適用した例について説明する。なお、ＤＶＤプレーヤ８０は、本発明の「映像機器本体部」の一例である。
【００７８】
本発明の第３実施形態によるＤＶＤプレーヤ８０では、第２実施形態とは異なり、アンテナ５５、チューナ５６、復調部５７および映像・音声エンコード部７１が設けられていない。なお、第３実施形態では、ＤＶＤプレーヤ８０により再生された映像および音声の視聴に関しても、上記した第２実施形態と同様にユーザの年齢に対応するパレンタルレベルの映像および音声の視聴の開始、および、映像および音声の視聴の停止が可能に構成されている。
【００７９】
なお、第３実施形態のその他の構成および制御動作は、上記した第２実施形態と同様である。
【００８０】
また、第３実施形態の効果は、上記した第２実施形態と同様である。
【００８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
たとえば、上記第１〜第３実施形態では、映像機器の一例として、液晶テレビジョン、ＤＶＤレコーダおよびＤＶＤプレーヤに本発明を適用する例を示したが、本発明はこれに限らず、映像および音声を視聴可能であればＢｌｕ−ｌａｙプレーヤなどの映像機器にも適用可能である。
【００８３】
また、上記第１〜第３実施形態では、視聴開始ボタンと視聴停止ボタンとの両方をリモコンに設ける例を示したが、本発明はこれに限らず、視聴停止ボタンは設けられずに、視聴開始ボタンのみをリモコンに設けてもよい。
【００８４】
また、上記第１〜第３実施形態では、メモリを液晶テレビジョン（映像機器本体部）に設ける例を示したが、本発明はこれに限らず、メモリをリモコンに設けてもよい。
【００８５】
また、上記第１〜第３実施形態では、個人識別ボタンの一例として、視聴開始ボタンと視聴停止ボタンとの２つのボタンにより操作する例を示したが、本発明はこれに限らず、１つのボタンにより視聴開始および視聴停止を行うように構成してもよい。
【００８６】
また、上記第１〜第３実施形態では、親（父および母）、子供１および子供２の４人家族に本発明を適用する例を示したが、本発明はこれに限らず、２人家族や５人以上の家族にも本発明を適用可能である。
【００８７】
また、上記第１〜第３実施形態では、視聴制限を課すパレンタルレベルを１８歳以上、１５歳以上１８歳未満、１２歳以上１５歳未満および１２歳未満の４段階のレベルに分けて説明したが、本発明はこれに限らず、パレンタルレベルを２段階、３段階および５段階以上のレベルに分けて視聴制限をしてもよい。
【符号の説明】
【００８８】
１０  リモコン
１７、１７ａ、１７ｂ、１７ｃ  視聴開始ボタン（第１個人識別ボタン、個人識別ボタン）
１８、１８ａ、１８ｂ、１８ｃ  視聴停止ボタン（第２個人識別ボタン、個人識別ボタン）
５０  液晶テレビジョン（映像機器本体部）
５１  制御部
５３  メモリ（記憶部）
５４  時計部
７０  ＤＶＤレコーダ（映像機器本体部）
８０  ＤＶＤプレーヤ（映像機器本体部）
１００、２００、３００  映像機器
【図１】
2011009817.tif 000003
【図２】
2011009817.tif 000004
【図３】
2011009817.tif 000005
【図４】
2011009817.tif 000006
【図５】
2011009817.tif 000007
【図６】
2011009817.tif 000008
【図７】
2011009817.tif 000009
【図８】
2011009817.tif 000010
【図９】
2011009817.tif 000011
【図１０】
2011009817.tif 000012
【図１１】
2011009817.tif 000013
【図１２】
2011009817.tif 000014
【図１３】
2011009817.tif 000015
【図１４】
2011009817.tif 000016
【図１５】
2011009817.tif 000017
【図１６】
2011009817.tif 000018
【図１７】
2011009817.tif 000019
【図１８】
2011009817.tif 000020
【図１９】
2011009817.tif 000021
【図２０】
2011009817.tif 000022
【図２１】
2011009817.tif 000023
【図２２】
2011009817.tif 000024